(57)【要約】      （修正有）【課題】既存の刈払機に装備できて、刈払い後に、刈り取られた雑草のみならず、周辺に散乱する落ち葉やごみ等をも粉砕・回収することが可能な刈払機用アタッチメントを提供する。【解決手段】ファンと前記ファンを覆う皿状カバー２と、前記皿状カバー２に形成されるホース接続口３に接続される回収ホース４とから成り、前記ファンを、既存の刈払機のシャフト１１先端の円形鋸刃と付け替えることによって前記刈払機に取り付けられて使用可能となり、前記ファンの回転に伴って前記皿状カバー２内の落ち葉類を粉砕・吸引して回収可能にした。【選択図】図１
0003186794.tif 000002
【実用新案登録請求の範囲】
【請求項１】
ファンと前記ファンを覆う皿状カバーと、前記皿状カバーに形成されるホース接続口に接続される回収ホースとから成り、前記ファンを、既存の刈払機のシャフト先端の円形鋸刃と付け替えることによって前記刈払機に取り付けられて使用可能となり、前記ファンの回転に伴って前記皿状カバー内の落ち葉類を粉砕・吸引して回収可能にしたことを特徴とする刈払機用アタッチメント。
【請求項２】
前記ファンに刃が取り付けられ、刈り取りと同時に粉砕・回収可能にされる、請求項１に記載の刈払機用アタッチメント。
【請求項３】
前記皿状カバーはその裏面の一半部を覆う底面を有し、前記底面は下方に凹む山形形状にされる、請求項１又は２に記載の刈払機用アタッチメント。
【請求項４】
前記回収ホースに、前記シャフトに留め付けるための留め付け具が備え付けられる、請求項１乃至３のいずれかに記載の刈払機用アタッチメント。
【考案の詳細な説明】
【技術分野】
【０００１】
本考案は、刈払機アタッチメントに関するものであり、より詳細には、草や芝を刈るための既存の刈払機における円形鋸刃と付け替えることで使用可能で、落ち葉や刈り取った草等を効率よく回収するための刈払機用アタッチメントに関するものである。
【背景技術】
【０００２】
刈払機は一般に、ハンドル１２を設けたシャフト１１の後端にモータ１３を設置し、先端に、モータ１３によって回転駆動される円形鋸刃１５を配備して構成され、円形鋸刃１５は脱着自在にされる（図４、実用新案登録第３１１９１３８号公報）。この一般的構成の刈払機の場合、刈り取られた草や芝は、その回収手段が備わっていないため、そのまま散乱することになる。
【０００３】
この散乱した草や芝、あるいは、落ち葉等を吸引回収する集草機があるが（例えば、特開２００５−２０４５３６号公報）、それは比較的大きく、保管に場所をとり、また、別途費用がかかるため、一般的ではない。
【先行技術文献】
【特許文献】
【０００４】
【特許文献１】実用新案登録第３１１９１３８号公報
【特許文献２】特開２００６−３１４２７８号公報
【特許文献３】特開２００５−２０４５３６号公報
【考案の概要】
【考案が解決しようとする課題】
【０００５】
上述したように、一般的構成の刈払機の場合は、刈り取った草類を回収するための手段を備えておらず、また、雑草類や落ち葉等を吸引回収する集草機があるが、それは比較的大きくて保管に場所をとり、また、コストもかかるので、刈払機と併用することは一般的ではない。
【０００６】
本考案は上記背景の下になされたもので、既存の刈払機に装備できて、刈払い後に、刈り取られた草や芝のみならず、周辺に散乱する落ち葉やごみ等を粉砕して回収することが可能な刈払機用アタッチメントを提供することを課題とする。
【課題を解決するための手段】
【０００７】
上記課題を解決するための請求項１に記載の考案は、ファンと前記ファンを覆う皿状カバーと、前記皿状カバーに形成されるホース接続口に接続される回収ホースとから成り、前記ファンを、既存の刈払機のシャフト先端の円形鋸刃と付け替えることによって前記刈払機に取り付けられて使用可能となり、前記ファンの回転に伴って前記皿状カバー内の落ち葉類を粉砕・吸引して回収可能にしたことを特徴とする刈払機用アタッチメントである。
【０００８】
一実施形態においては、前記ファンに刃が取り付けられ、刈り取りと同時に粉砕・回収を行うことが可能にされる。また、前記皿状カバーはその裏面の一半部を覆う底面を有し、前記底面は下方に凹む山形形状にされ、更に、前記回収ホースに、前記シャフトに留め付けるための留め付け具が備え付けられる。
【考案の効果】
【０００９】
本考案は上記構成であるため、既存の刈払機に装備できて、刈り取られた草や芝のみならず、周辺に散乱する落ち葉やごみ等を粉砕して回収することが可能という効果がある。
【図面の簡単な説明】
【００１０】
【図１】本考案に係る刈払機用アタッチメントの使用状態を示す斜視図である。
【図２】本考案に係る刈払機用アタッチメントの要部の平面図である。
【図３】本考案に係る刈払機用アタッチメントの要部の底面図である。
【図４】刈払機の一般的構成を示す斜視図である。
【考案を実施するための形態】
【００１１】
本考案を実施するための形態につき、添付図面に依拠して説明する。本考案に係る刈払機用アタッチメントは、既存の刈払機に、その円形鋸刃を取り外して装着するものである。刈払機は一般に、ハンドル１２を設け、肩掛紐１４を取り付けたシャフト１１の後端にモータ１３を設置し、先端に、該モータ１３によって回転駆動される円形鋸刃１５を配備して構成される（図４参照）。円形鋸刃１５は、その回転軸を、シャフト１１の先端部の駆動部に接続することによって回転駆動され、その回転軸部分から取り外し可能にされる。
【００１２】
本考案に係る刈払機用アタッチメントは、ファン１とファン１を覆う皿状カバー２と、皿状カバー２に形成されるホース接続口３に接続される回収ホース４とから成り、通例、使用時に回収ホース４の後端部に、回収袋５が装着される。
【００１３】
ファン１は、シャフト１１先端部の円形鋸刃１５駆動部に対応する接続部６を有し、使用時に、接続部６を介して該駆動部からの回転駆動力を受け、吸引方向に回転する（図２参照）。好ましい実施形態におけるファン１は、端部に刃８を取り付けた羽根７を、例えば、４枚備えたものとされる。このファン１によった場合は、単に落ち葉類を回収するだけでなく、草や芝等を刈り取り、かつ、粉砕して回収することが可能となる。
【００１４】
皿状カバー２は、ファン１の表面全体を覆うが、更に、その裏面の一半部、即ち、使用時における後半部（使用者側）を覆う底面９を有する。底面９は平坦ではなく、中央部が少し下方に凹む山形形状にされる。このようにするのは、使用時に底面が地面に密着して外気の流入が減少することにより、吸引性能が低下することを防止するためである。回収ホース４には、適宜個所に、シャフト１１に留め付けるための留め付け具１０が備え付けられる。留め付け具１０は、回収ホース４を取り巻く帯状のものであっても良いし、断面Ｃ字状で弾性を有する樹脂成形物であっても良い。
【００１５】
本考案に係る刈払機用アタッチメントは、既存の刈払機の円形鋸刃１５を取り外し、そこにファン１を取り付け、また、留め付け具１０を介して回収ホース４をシャフト１１に固定して使用する。使用に際しては、回収ホース４の端部に回収袋５を設置し、肩掛紐１４を肩にかけ、ハンドル１２を握持して準備完了となる。
【００１６】
その状態でファン１を着地させ、モータ１３を始動させると、ファン１の回転に伴って皿状カバー２内が負圧状態となって、皿状カバー２内の落ち葉や雑草等が吸い込まれ、回収ホース４を通って回収袋５内に回収される。特に、ファン１が刃８付きの場合は、刃８によって草や芝等が刈り取られ、その後粉砕されて直ちに吸い込まれて回収袋５内に回収される。
【００１７】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００１８】
１    ファン
２    皿状カバー
３    ホース接続口
４    回収ホース
５    回収袋
６    接続部
７    羽根
８    刃
９    底面
１０    留め付け具
１１    シャフト
１２    ハンドル
１３    モータ
１４    肩掛紐
【図１】
0003186794.tif 000003
【図２】
0003186794.tif 000004
【図３】
0003186794.tif 000005
【図４】
0003186794.tif 000006